【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
物理的に分離自在な１次コイルと２次コイルとを有し、前記両コイル間に生じる電磁誘導作用を利用して非接触で電力を伝送する非接触電力伝送装置であって、
前記１次コイルは平面状の第１平面コイルからなり、前記２次コイルは平面状の第２平面コイルおよび第３平面コイルからなり、
さらに、電力の伝送時には、前記第１平面コイルの両面を、前記第２平面コイルおよび前記第３平面コイルでそれぞれ挟み込んで使用するようになっていることを特徴とする非接触電力伝送装置。
【請求項２】
前記第２平面コイルおよび前記第３平面コイルの各サイズを、前記第１平面コイルのサイズよりも大きくしたことを特徴とする請求項１に記載の非接触電力伝送装置。
【請求項３】
前記第１平面コイル、前記第２平面コイル、および前記第３平面コイルは、それぞれ同一平面内で渦巻き状であって、中央にほぼ同じ大きさの穴を有する渦巻き平面コイルからなり、
前記第１平面コイルの両面を、前記第２平面コイルおよび前記第３平面コイルで挟み込んで使用する際に、前記各平面コイルの各穴に非磁性体を挿入し、その各平面コイルの各中心が配列方向においてほぼ一致するようにしたことを特徴とする請求項１または請求項２に記載の非接触電力伝送装置。
【請求項４】
前記第１平面コイル、前記第２平面コイル、および前記第３平面コイルは、それぞれ同一平面内で渦巻き状であって、中央にほぼ同じ大きさの穴を有する渦巻き平面コイルからなり、
前記第２平面コイルおよび前記第３平面コイルは、前記第１平面コイルが挿入されるコイル挿入空間を挟んで平面同士が対向する状態で固定的に配置されるとともに、前記第１平面コイルは前記コイル挿入空間内に挿入自在になっており、
前記第１平面コイルが前記コイル挿入空間内に挿入されたときに、前記第１平面コイルの穴に非磁性体からなる可動部材が挿入されて、その各平面コイルの各中心が配列方向においてほぼ一致するようになっていることを特徴とする請求項１または請求項２に記載の非接触電力伝送装置。
【請求項５】
前記第１平面コイルは、水密性の第１ケース内に固定されて収納され、
前記第２平面コイルおよび前記第３平面コイルは、前記第１ケースが差し込み自在なケース受け部を有する水密性の第２ケース内に、前記ケース受け部を挟んで前記両コイルの平面同士が対向する状態で収納され、
前記第１ケースが前記ケース受け部内に差し込まれたときに、前記第１ケースが前記ケース受け部内に位置決めされ、この位置決め時に、前記各平面コイルの各中心が配列方向においてほぼ一致するようになっていることを特徴とする請求項１または請求項２に記載の非接触電力伝送装置。
【請求項６】
前記第１ケースの表面および裏面のうちの少なく一方の面であって、前記第１平面コイルの中心に一致する位置に変形自在または伸縮自在な凸部を設け、
前記ケース受け部内の対向する面のうちの少なくとも一方の面であって、前記第２平面コイルまたは前記第３平面コイルの中心に一致する位置に、前記凸部が嵌合自在な凹部を設けるようにしたことを特徴とする請求項５に記載の非接触電力伝送装置。
【請求項７】
前記第１平面コイルは水密性の第１ケース内に固定され、前記第２平面コイルおよび前記第３平面コイルはそれぞれ水密性の第２ケース内に固定され、
前記第１ケースは、前記第２ケースの２つの差し込み部が差し込まれる２つの差し込み受け部を有するともに、その２つの差し込み受け部の間にコイル収納部を有し、前記コイル収納部内に前記第１平面コイルが収納され、
前記第２ケースは、前記２つの差し込み部を有し、その各差し込み部内に前記第２平面コイルおよび前記第３平面コイルがそれぞれ収納され、
さらに、前記２つの差し込み部が前記２つの差し込み受け部内に差し込まれたときに、前記両差し込み部が前記両差し込み受け部内にそれぞれ位置決めされ、この位置決め時に、前記各平面コイルの各中心が配列方向においてほぼ一致するようになっていることを特徴とする請求項１または請求項２に記載の非接触電力伝送装置。
【請求項８】
１次コイルを含む送電装置と、２次コイルを含む受電装置とを備え、
前記送電装置は、前記第１次コイルが前記２次コイルと電磁結合するときに、前記１次コイルに供給する交流を生成する送電手段を有し、
前記受電装置は、前記２次コイルが前記１次コイルと電磁結合するときに、前記２次コイルに誘起される交流を直流に変換する受電手段を有し、
さらに、前記１次コイルは平面状の第１平面コイルからなり、前記２次コイルは平面状の第２平面コイルおよび第３平面コイルからなり、
かつ、電力の伝送時には、前記第１平面コイルの両面を、前記第２平面コイルおよび前記第３平面コイルでそれぞれ挟み込んで使用するようになっていることを特徴とする非接触電力伝送装置。
【請求項９】
前記第２平面コイルおよび前記第３平面コイルのサイズを、前記第１平面コイルのサイズよりも大きくしたことを特徴とする請求項８に記載の非接触電力伝送装置。
【請求項１０】
前記第１平面コイル、前記第２平面コイル、および前記第３平面コイルは、それぞれ同一平面内で渦巻き状であって、中央にほぼ同じ大きさの穴を有する渦巻き平面コイルからなり、
前記第１平面コイルの両面を、前記第２平面コイルおよび前記第３平面コイルで挟み込んで使用する際に、前記各平面コイルの各穴に非磁性体を挿入し、その各平面コイルの各中心が配列方向においてほぼ一致するようにしたことを特徴とする請求項８または請求項９に記載の非接触電力伝送装置。
【請求項１１】
前記第１平面コイル、前記第２平面コイル、および前記第３平面コイルは、それぞれ同一平面内で渦巻き状であって、中央にほぼ同じ大きさの穴を有する渦巻き平面コイルからなり、
前記第２平面コイルおよび前記第３平面コイルは、前記第１平面コイルが挿入されるコイル挿入空間を挟んで平面同士が対向する状態で固定的に配置されるとともに、前記第１平面コイルは前記コイル挿入空間内に挿入自在になっており、
前記第１平面コイルが前記コイル挿入空間内に挿入されたときに、前記第１平面コイルの穴に非磁性体からなる可動部材が挿入されて、その各平面コイルの各中心が配列方向においてほぼ一致するようになっていることを特徴とする請求項８または請求項９に記載の非接触電力伝送装置。
【請求項１２】
前記第１平面コイルは、水密性の第１ケース内に固定されて収納され、
前記第２平面コイルおよび前記第３平面コイルは、前記第１ケースが差し込み自在なケース受け部を有する水密性の第２ケース内に、前記ケース受け部を挟んで前記両コイルの平面同士が対向する状態で収納され、
前記第１ケースが前記ケース受け部内に差し込まれたときに、前記第１ケースが前記ケース受け部内に位置決めされ、この位置決め時に、前記各平面コイルの各中心が配列方向においてほぼ一致するようになっていることを特徴とする請求項８または請求項９に記載の非接触電力伝送装置。
【請求項１３】
前記第１ケースの表面および裏面のうちの少なく一方の面であって、前記第１平面コイルの中心に一致する位置に変形自在または伸縮自在な凸部を設け、
前記ケース受け部内の対向する面のうちの少なくとも一方の面であって、前記第２平面コイルまたは前記第３平面コイルの中心に一致する位置に、前記凸部が嵌合自在な凹部を設けるようにしたことを特徴とする請求項１２に記載の非接触電力伝送装置。
【請求項１４】
前記第１平面コイルは水密性の第１ケース内に固定され、前記第２平面コイルおよび前記第３平面コイルはそれぞれ水密性の第２ケース内に固定され、
前記第１ケースは、前記第２ケースの２つの差し込み部が差し込まれる２つの差し込み受け部を有するともに、その２つの差し込み受け部の間にコイル収納部を有し、前記コイル収納部内に前記第１平面コイルが収納され、
前記第２ケースは、前記２つの差し込み部を有し、その各差し込み部内に前記第２平面コイルおよび前記第３平面コイルがそれぞれ収納され、
さらに、前記２つの差し込み部が前記２つの差し込み受け部内に差し込まれたときに、前記両差し込み部が前記両差し込み受け部内にそれぞれ位置決めされ、この位置決め時に、前記各平面コイルの各中心が配列方向においてほぼ一致するようになっていることを特徴とする請求項８または請求項９に記載の非接触電力伝送装置。
【請求項１５】
第１コイルから成る１次コイルを含む送電装置から電力が伝送される受電装置において、
２次コイルと、
前記２次コイルに誘起される電力を受電する受電手段と、を含み、
前記２次コイルは、 平面状の第２コイルと、
平面状の第３コイルと、を含み、
前記第２コイルと前記第３コイルとは、電気的に並列に接続され、かつ、前記１次コイルを挿入するための間隔を有して対向するように配置されたことを特徴とする受電装置。
【請求項１６】
第２コイルと、第３コイルとが対向するように間隔を有して配置された２次コイルを含む受電装置に電力を送電する送電装置において、
平面状の第１コイルから成る１次コイルと、
前記１次コイルに電力を送電する送電手段と、を含み、
前記１次コイルの厚みは前記間隔以下であることを特徴とする送電装置。
【手続補正２】
【補正対象書類名】明細書
【補正対象項目名】００１６
【補正方法】変更
【補正の内容】
【００１６】
第１４の発明は、第８または第９の発明において、前記第１平面コイルは水密性の第１ケース内に固定され、前記第２平面コイルおよび前記第３平面コイルはそれぞれ水密性の第２ケース内に固定され、前記第１ケースは、前記第２ケースの２つの差し込み部が差し込まれる２つの差し込み受け部を有するともに、その２つの差し込み受け部の間にコイル収納部を有し、前記コイル収納部内に前記第１平面コイルが収納され、前記第２ケースは、前記２つの差し込み部を有し、その各差し込み部内に前記第２平面コイルおよび前記第３平面コイルがそれぞれ収納され、さらに、前記２つの差し込み部が前記２つの差し込み受け部内に差し込まれたときに、前記両差し込み部が前記両差し込み受け部内にそれぞれ位置決めされ、この位置決め時に、前記各平面コイルの各中心が配列方向においてほぼ一致するようになっている。
第１５の発明は、第１コイルから成る１次コイルを含む送電装置から電力が伝送される受電装置において、２次コイルと、前記２次コイルに誘起される電力を受電する受電手段と、を含み、前記２次コイルは、平面状の第２コイルと、平面状の第３コイルと、を含み、前記第２コイルと前記第３コイルとは、電気的に並列に接続され、かつ、前記１次コイルを挿入するための間隔を有して対向するように配置されている。
第１６の発明は、第２コイルと、第３コイルとが対向するように間隔を有して配置された２次コイルを含む受電装置に電力を送電する送電装置において、平面状の第１コイルから成る１次コイルと、前記１次コイルに電力を送電する送電手段と、を含み、前記１次コイルの厚みは前記間隔以下である。